(57)【要約】【課題】  取付け構造の異なるヒンジ機構を、１種類のヒンジ取付台で共有できるようにした画像読取装置のヒンジ取付台に用いるブランクを提供することを目的とする。【解決手段】  原稿の画像情報を読取る画像読取手段と、画像読取手段の原稿載置面に対向するように、一端側に取付けられたヒンジ機構により開閉可能に配置された原稿押え装置と、ヒンジ機構を装置本体のフレームに取付けるヒンジ取付台５とを備えた画像読取装置において、ヒンジ取付台５は、当該ヒンジ取付台５をフレームに取付けるための取付部８と、ヒンジ機構を載置するヒンジ載置面７と、ヒンジ機構の脚部を保持する脚部保持領域９とを有し、ヒンジ載置面７にヒンジ機構を固定する固定部１０とヒンジ機構の脚部を挿入する脚部挿入口７１とを形成する。【選択図】  図５
2006126356.tif 000002
【特許請求の範囲】
【請求項１】
原稿の画像情報を読取る画像読取手段と、前記画像読取手段の原稿載置面に対向するように、一端側に取付けられたヒンジ機構により開閉可能に配置された原稿押え装置と、前記ヒンジ機構を装置本体のフレームに取付けるヒンジ取付台とを備えた画像読取装置において、
前記ヒンジ取付台は、当該ヒンジ取付台を前記フレームに取付けるための取付部と、前記ヒンジ機構を載置するヒンジ載置面と、前記ヒンジ機構の脚部を保持する脚部保持領域とを有し、前記ヒンジ載置面に、前記ヒンジ機構を固定する固定部と前記ヒンジ機構の脚部を挿入する脚部挿入口とを形成したことを特徴とする画像読取装置。
【請求項２】
前記ヒンジ取付台は、１枚の金属板から折り曲げ加工により一体的に形成されていることを特徴とする請求項１に記載の画像読取装置。
【請求項３】
前記ヒンジ取付台は、断面コ字状の胴部と、前記胴部の上面に位置する前記ヒンジ載置面とを備え、前記胴部を形成する両側の側面の一部および背面の一部を前記胴部の内側に折り曲げて前記脚部保持領域を区画する保持片を形成したことを特徴とする請求項１または請求項２に記載の画像読取装置。
【請求項４】
前記ヒンジ載置面の一部を前記胴部の内側に折り曲げ、前記脚部保持領域を区画する保持片を形成したことを特徴とする請求項３に記載の画像読取装置。
【請求項５】
前記胴部を形成する両側の側面を延長して外側に折り曲げ、前記取付部を構成したことを特徴とする請求項３または請求項４に記載の画像読取装置。
【発明の詳細な説明】
【技術分野】
【０００１】
本発明は、スキャナ、複写機などの原稿の画像を読取るための画像読取装置および画像読取装置のヒンジ取付台に用いるブランクに関し、特に、取付け構造の異なるヒンジ機構を、１種類のヒンジ取付台で共有できるようにしたものである。
【０００２】
一般的に、複写機などの画像形成装置やスキャナなどの画像読取装置に設けられる原稿押え装置は、画像読取手段の原稿載置面（コンタクトガラス）に対向するように、一端側に取付けられたヒンジ機構により開閉可能に配置され、原稿載置面に対向して接する閉位置と、上方に旋回して退避する開位置に開閉可能である。このような原稿押え装置は、原稿を押えるための白色シートが貼り付けられた板状形状の比較的軽量のものや、原稿載置面への原稿の自動給紙および排紙、更には原稿の反転などを行う自動搬送手段を備えた比較的に重量の重たいものがある。また、画像読取手段では、例えば、書籍などのように厚みのある原稿を読み込む場合もある。このような場合には、原稿の書籍の厚みに応じて原稿押え装置が原稿載置面から平行に浮いた状態で支持できるようにしたものがある。
【０００３】
このような点から、原稿押え装置を開閉可能に支持するヒンジ機構としては、ある程度の厚さがある原稿にも対応するため、開閉支点を上下動させやすいように、装置本体のフレームに取付けられたヒンジ取付台に、ヒンジ機構の脚部を上下に移動可能に挿入する脚部差込式がある。また、取付け位置調整が比較的簡素な構成で可能とするため、装置本体のフレームに取付けられたヒンジ取付台に、平面的に取付けられる平面取付式のものがある。
【背景技術】
【０００４】
従来、例えば、脚部差込式のヒンジ機構を用いて原稿押え装置を開閉可能に支持する場合、装置本体の後端部を規定するフレームに、チャンネル部材の開放端がフレームによって閉塞されるように固着し、チャンネル部材とフレームとの間に形成された支持穴に、脚部差込式のヒンジ機構の脚部を挿入するように構成したものがある（例えば、特許文献１参照）。
【特許文献１】特開２００２−１４４９６号公報
【発明の開示】
【発明が解決しようとする課題】
【０００５】
しかし、上述の特許文献１記載の構成では、装置本体に脚部差込式のヒンジ機構を用いた原稿押え装置を装着することできるが、装置本体に平面的に取付けられる平面取付式のヒンジ機構を用いた原稿押え装置を装着することはできない。このため、平面取付式のヒンジ機構を用いた原稿押え装置を装着する場合、チャンネル部材とフレームとにより形成される支持穴に換え、別途、平面取付けが可能なヒンジ取付台を装置本体のフレームに固着する必要があった。従って、顧客が性能や価格面を考慮できるように取付け構造の異なるヒンジ機構をオプションとして対応するためには、複数種類のヒンジ取付台を用意する必要があり、在庫管理面、コスト面、更には、標準化などの点からも不都合があった。
【０００６】
本発明は、上述した課題を解決するためになされたものであり、取付け構造の異なるヒンジ機構を、１種類のヒンジ取付台で共有できるようにした画像読取装置および画像読取装置のヒンジ取付台に用いるブランクを提供することを目的とする。
【課題を解決するための手段】
【０００７】
上記目的を達成するために、請求項１記載の発明では、原稿の画像情報を読取る画像読取手段と、画像読取手段の原稿載置面に対向するように、一端側に取付けられたヒンジ機構により開閉可能に配置された原稿押え装置と、ヒンジ機構を装置本体のフレームに取付けるヒンジ取付台とを備えた画像読取装置において、ヒンジ取付台は、当該ヒンジ取付台をフレームに取付けるための取付部と、ヒンジ機構を載置するヒンジ載置面と、ヒンジ機構の脚部を保持する脚部保持領域とを有し、ヒンジ載置面に、ヒンジ機構を固定する固定部と前記ヒンジ機構の脚部を挿入する脚部挿入口とを形成する。
【０００８】
請求項２記載の発明では、ヒンジ取付台は、１枚の金属板から折り曲げ加工により一体的に形成する。
【０００９】
請求項３記載の発明では、ヒンジ取付台は、断面コ字状の胴部と、胴部の上面に位置するヒンジ載置面とを備え、胴部を形成する両側の側面および背面の一部を胴部の内側に折り曲げて脚部保持領域を区画する保持片を形成する。
【００１０】
請求項４記載の発明では、ヒンジ載置面の一部を胴部の内側に折り曲げ、脚部保持領域を区画する保持片を形成する。
【００１１】
請求項５記載の発明では、胴部を形成する両側の側面を延長して外側に折り曲げ、取付部を構成する。
【発明の効果】
【００１２】
請求項１記載の発明の構成によれば、ヒンジ取付台には、ヒンジ載置面と、平面取付式のヒンジ機構を固定する固定部と、脚部差込式のヒンジ機構の脚部を挿入するための脚部挿入口および脚部を保持する脚部保持領域とを備えている。このため、ヒンジ機構として平面取付式および脚部差込式の何れにも共用することができる。従って、取付け構造の異なるヒンジ機構を有する原稿押え装置を共通のヒンジ取付台に取付けることが可能となり、オプション装置の選択範囲が拡がる他、ヒンジ取付台の標準化が図れる。
【００１３】
請求項２記載の発明の構成によれば、ヒンジ取付台は、１枚の金属板から折り曲げ加工により一体的に形成しているので、溶接部材やカシメ部材などの別部材を必要とせず、また、溶接やカシメ作業を要しない。従って、作業性が良く、かつ、安価となる。
【００１４】
請求項３記載の発明の構成によれば、ヒンジ取付台は、断面コ字状の胴部の上面にヒンジ載置面を備え、胴部を形成する両側の側面の一部および背面の一部を胴部の内側に折り曲げて脚部保持領域を区画する保持片を形成している。従って、極めて簡単にヒンジ載置面および脚部保持領域を形成することができるとともに、その構成が極めてシンプルである。
【００１５】
請求項４記載の発明の構成によれば、ヒンジ載置面の一部を胴部の内側に折り曲げ、脚部保持領域を区画する保持片を形成しているので、ヒンジ載置面側からヒンジ機構の脚部を、脚部保持領域に簡単、かつ、効果的に案内することができる他、ヒンジ機構の脚部を、確実に保持できる。
【００１６】
請求項５記載の発明の構成によれば、胴部を形成する両側の側面を延長して外側に折り曲げ、取付部を構成しているので、極めて簡単に取付部を形成することができるとともに、その構成が極めてシンプルである。
【発明を実施するための最良の形態】
【００１７】
（第１実施形態）
以下に、本発明の具体的な一実施形態について図１および図２を参照しながら説明する。図１は、本発明の第１実施形態に係る画像読取装置の全体構成を示す概略斜視図、図２は、図１に示す画像読取装置の側面図である。
【００１８】
図１において、画像読取装置１は、原稿の画像情報を読取る画像読取手段２と、画像読取手段２で読取った画像情報を記憶する画像情報記憶手段（不図示）と、画像読取手段２の原稿載置面２１、例えば、コンタクトガラスに対向するように、一端側に取付けられたヒンジ機構３により開閉可能に配置された原稿押え装置４と、ヒンジ機構３を装置本体のフレーム１１に取付けるヒンジ取付台５を備えている。また、主演算機能を行う演算部および動作制御用のプログラムなどが記憶されたＲＯＭや、各プログラムの作業領域などとして一時的にデータを保管および画像読取手段２で得られた原稿の画像データを一時的に記憶するＲＡＭなどからなる記憶部が内蔵されたマイクロコンピュータなどにより構成された制御手段（不図示）などを備えている。
【００１９】
画像読取手段２は、周知の通り、原稿載置面２１上に載置された原稿に、露光ランプから光を照射し、反射鏡を介してその反射光をＣＣＤセンサなどからなる光電変換部に導くことにより、原稿の画像情報を読取り、例えば、画像情報記憶手段に記憶する。
【００２０】
ヒンジ機構３は、上述の通り、装置本体のフレーム１１に取付けられたヒンジ取付台５に、図３に示すような脚部３１を上下に移動可能なように差し込む脚部差込式と、図４に示すように平面的に取付けられる平面取付式のものがあり、本発明では、何れも用いることができる。図３は、脚部差込式のヒンジ機構３ａの一例を示す斜視図、図４は、平面取付式のヒンジ機構３ｂの一例を示す斜視図である。
【００２１】
図３に示す脚部差込式のヒンジ機構３ａは、ヒンジ取付台５に挿入される脚部３１と、原稿押え装置４が装着される装着部３２を有する旋回支持枠３３と、旋回支持枠３３に原稿押え装置４を装着した状態で、原稿載置面に対向して接する閉位置と、上方に旋回して退避する開位置に開閉可能に支持する旋回軸３４などから構成されている。
【００２２】
また、図４に示す平面取付式のヒンジ機構３ｂは、ヒンジ取付台５に取付けられる底部取付け面３６と、原稿押え装置４が装着される装着部３７を有する旋回支持枠３８と、旋回支持枠３８に原稿押え装置４を装着した状態で、原稿載置面に対向して接する閉位置と、上方に旋回して退避する開位置に開閉可能に支持する旋回軸３９などから構成されている。
【００２３】
また、原稿押え装置４は、原稿を押えるための白色シート４１が貼り付けられた板状形状の比較的軽量のもの、あるいは、原稿載置面２１への原稿の自動給紙および排紙、更には原稿の反転などを行う自動搬送手段を備えた比較的に重量の重たいもの、何れであってもよい。
【００２４】
而して、本発明に従い、ヒンジ取付台５は、ヒンジ機構３（３ａ、３ｂ）が平面取付式および脚部差込式の何れも取付け可能に構成されている。以下、図５、図６および図１乃至図４に基づいて説明する。図５は、本発明の一実施形態に係るヒンジ取付台５の斜視図、図６は、図５に示すヒンジ取付台５を底面から見た斜視図である。
【００２５】
本実施形態では、ヒンジ取付台５は、例えば、１枚の金属板をプレス加工などの折り曲げ加工により一体的に形成し、断面コ字状の胴部６と、胴部６の上面に位置するヒンジ載置面７と、ヒンジ取付台５をフレーム１１に取付けるための取付部８と、脚部差込式のヒンジ機構３ａの脚部３１を保持する脚部保持領域９と、平面取付式のヒンジ機構３ｂを固定する固定部１０とを備えている。
【００２６】
ヒンジ載置面７には、脚部差込式のヒンジ機構３ａの脚部３１を挿入するための脚部挿入口７１と、平面取付式のヒンジ機構３ｂを固定する固定部１０として機能する、例えば、タップ立てたネジ孔１０１が複数個形成されている。また、ヒンジ載置面７には、平面取付式のヒンジ機構３ｂを固定する際の取付け基準となるピンの取付部７２が設けられている。
【００２７】
また、取付部８は、ヒンジ取付台５を装置本体のフレーム１１に取付けるために、胴部６を形成する両側の側面６１、６２の先端部より外側に折り曲げて形成されている。この取付部８には、装置本体のフレーム１１に取付けるためのボルトなどを挿入するための長孔８１や丸孔８２および組立性を考慮した側板への引っ掛け用の角穴８３などが形成されている。
【００２８】
また、脚部保持領域９は、胴部６を形成する両側の側面６１、６２の一部および背面６３の一部を、胴部６の内側に折り曲げて形成した保持片６１１、６２１、６３１、６３２によって区画される領域により形成される。また、本実施形態では、ヒンジ載置面７の脚部挿入口７１側の一部を胴部６の内側に折り曲げて保持片７１１を形成している。この保持片７１１により、脚部差込式のヒンジ機構３ａの脚部３１は、ヒンジ載置面７側から脚部保持領域９に簡単、かつ、効果的に案内することができる他、脚部差込式のヒンジ機構３ａの脚部３１を、確実に保持できるので、都合が良い。
【００２９】
次に、ヒンジ機構３として図３に示す脚部差込式のヒンジ機構３ａを、図５に示すヒンジ取付台５に取付ける場合について、図７および図８に基づいて説明する。図７は、図５に示すヒンジ取付台５に、図３に示す脚部差込式のヒンジ機構３ａを取付けた状態を示す斜視図、図８は、図７を底面から見た斜視図である。
【００３０】
先ず、ヒンジ取付台５を装置本体のフレーム１１に、取付部８の長孔８１や丸孔８２にボルトを挿入して取付ける。その後、図３に示す脚部差込式のヒンジ機構３ａの脚部３１を、図５に示すヒンジ取付台５の上部からヒンジ載置面７の脚部挿入口７１に挿入し、ヒンジ機構３ａの脚部３１を、図７および図８に示すように、ヒンジ取付台５の胴部６の内部に形成された脚部保持領域９により保持するように装着する。この場合、脚部差込式のヒンジ機構３ａに予め原稿押え装置４を取付けておいても、あるいは、脚部差込式のヒンジ機構３ａをヒンジ取付台５に取付けた後に、原稿押え装置４を取付けてもよい。
【００３１】
次に、ヒンジ機構３として図４に示す平面取付式のヒンジ機構３ｂを、ヒンジ取付台５に取付ける場合について、図９および図１０に基づいて説明する。図９は、図５に示すヒンジ取付台５に、図４に示す平面取付式のヒンジ機構３ｂを取付けた状態を示す側面図、図１０は、図９を右斜め上から見た斜視図である。
【００３２】
この場合も上述した脚部差込式のヒンジ機構３ａの場合と同様、先ず、ヒンジ取付台５を装置本体のフレーム１１に、取付部８の長孔８１や丸孔８２にボルトを挿入して取付ける。その後、図４に示す平面取付式のヒンジ機構３ｂの底部取付面３５をヒンジ載置面７に載せ、ヒンジ機構３ｂの旋回支持枠３８を旋回して開いた状態で、底部取付面３５の取付孔３６１からボルトを挿通し、固定部１０のネジ孔１０１にねじ込み固定して装着する。その後、原稿押え装置４を、ヒンジ取付台の装着部３７に取付ける。なお、この場合も脚部差込式のヒンジ機構３ｂに予め原稿押え装置４を取付けた状態で、ヒンジ機構３ｂをヒンジ取付台５に取付けるようにしても良いのは、勿論である。
【００３３】
次に、図５に示すヒンジ取付台５を形成するための部材である金属板からなる素材（以下「ブランク」と称す。）の構成について、図１１および図５、図６に基づいて説明する。図１１は、図５に示すヒンジ取付台５に用いるブランクＰの展開図である。なお、図１１において、上述した図５および図６と同じ符号を付した部分は、同一のものを示すため、ここでは詳細な説明は省略する。
【００３４】
ブランクＰは、例えば、鉄板、ステンレス板、アルミニューム板などの１枚の金属板からなり、相対する二つの辺に折り目Ａ１、Ｂ１を有するヒンジ載置面７を形成するヒンジ載置面部材７Ｐを中央に設ける。ヒンジ載置面部材７Ｐの両側に折り目Ａ１、Ｂ１を介して、それぞれ胴部６の側面６１、６２を形成する側面部材６１Ｐ、６２Ｐを連接する。側面部材６１Ｐ、６２Ｐの一端に折り目Ａ２、Ｂ２を介して、それぞれ胴部６の背面６３、６４を形成する背面部材６３Ｐ、６４Ｐを連接し、側面部材６１Ｐ、６２Ｐの他端に折り目Ａ３、Ｂ３を介して、それぞれ取付部８を形成する取付部部材８Ｐを連接する。背面部材６３Ｐ、６４Ｐのうち内側に配設される背面部材６３Ｐの側面部材６１Ｐと反対側に折り目Ａ４を介して、ヒンジ機構３ａの脚部３１を保持する脚部保持領域９を区画する保持片６３１を形成する保持片部材６３１Ｐを連接する。また、ヒンジ載置面部材７Ｐに脚部挿入口７１を形成する挿入口用切り欠き７１Ｐを形成する。また、背面部材６３Ｐ、６４Ｐのうち内側に配設される背面部材６３Ｐおよび側面部材６１Ｐ、６２Ｐの一部に保持片用切り目Ｃと折り目Ａ８、Ａ５、Ｂ５を設け、胴部６の内側に折り曲げて脚部保持領域９を区画する保持片６３２、６１１、６２１を形成する保持片部材６３２Ｐ、６１１Ｐ、６２１Ｐを形成する。
【００３５】
更に、ヒンジ載置面部材７Ｐに形成した挿入口用切り欠き７１Ｐ部分に、折り目Ａ６を介して脚部保持領域９を区画する保持片７１１を形成する保持片部材７１１Ｐを連接する。また、背面部材６３Ｐ、６４Ｐのうちいずれか一方、本実施形態では、内側に配設される背面部材６３Ｐに折り目Ａ７を介して取付部７２を形成する取付部部材７２Ｐを連接する。
【００３６】
このように構成された、１枚の金属板からなるブランクＰを、プレス機などを用いて折り曲げ加工を行えば、図５に示すようなヒンジ取付台５を、溶接部材やカシメ部材などの別部材を必要とせず、また、溶接やカシメ作業を要しないで、一体的にきわめて簡単に形成することができる。
【００３７】
以上の構成による本実施形態によれば、ヒンジ取付台５には、ヒンジ載置面７と、平面取付式のヒンジ機構３ｂを固定する固定部１０と、脚部差込式のヒンジ機構３ａの脚部３１を挿入するための脚部挿入口７１および脚部３１を保持する脚部保持領域９とを備えている。このため、ヒンジ機構３として平面取付式および脚部差込式の何れにも共用することができる。従って、取付け構造の異なるヒンジ機構３を有する原稿押え装置４を共通のヒンジ取付台５に取付けることが可能となり、オプション装置の選択範囲が拡がる他、ヒンジ取付台５の標準化が図れる。
【００３８】
また、ヒンジ取付台５は、１枚の金属板から折り曲げ加工により一体的に形成しているので、溶接部材やカシメ部材などの別部材を必要とせず、また、溶接やカシメ作業を要しない。従って、作業性が良く、かつ、安価となる。
【００３９】
また、ヒンジ取付台５は、断面コ字状の胴部６の上面にヒンジ載置面７を備え、胴部６を形成する両側の側面６１、６２の一部および背面６３、６４の一部を胴部６の内側に折り曲げて脚部保持領域９を区画する保持片６１１、６２１、６３１、６３２を形成している。従って、極めて簡単にヒンジ載置面７および脚部保持領域９を形成することができるとともに、その構成が極めてシンプルである。
【００４０】
また、ヒンジ載置面７の一部を胴部６の内側に折り曲げ、脚部保持領域９を区画する保持片７１１を形成しているので、ヒンジ載置面７側から脚部差込式のヒンジ機構３ａの脚部３１を、脚部保持領域９に簡単、かつ、効果的に案内することができる他、脚部差込式のヒンジ機構３ａの脚部３１を、確実に保持できる。
【００４１】
また、胴部６を形成する両側の側面６１、６２を延長して外側に折り曲げ、取付部８を構成しているので、極めて簡単に取付部８を形成することができるとともに、その構成が極めてシンプルである。
【００４２】
また、単なる１枚の金属板により、取付け構造の異なるヒンジ機構３ａ、３ｂを取付けるヒンジ取付台５を形成するブランクＰを構成しているので、折り目を基準に折り曲げ加工により、極めて簡単にヒンジ取付台５を製作することができる。
【００４３】
更に、載置面部材７Ｐに形成した挿入口用切り欠き７１Ｐに、折り目を介して脚部保持領域９を区画する保持片７１１を形成する保持片部材７１１Ｐを連接しているので、簡単な構成により、ヒンジ載置面７側から連続的に脚部保持領域９を形成することができる。
【００４４】
（第２実施形態）
次に、本発明の第２実施形態について、図１２乃至図１４を参照しながら説明する。図１２は、本実施形態に係る画像読取装置を備えた画像形成装置である複写機の全体構成を示す概略斜視図、図１３は、本発明の他の実施形態に係るヒンジ取付台５の斜視図、図１４は、図１３に示すヒンジ取付台５に用いるブランクの展開図である。なお、図１２乃至図１４において、上述した図１乃至図１１と同じ符号を付した部分は、略同一のものを示すため、ここでは詳細な説明は省略する。以下、上述した実施形態との相違点を中心に説明する。
【００４５】
図１２に示すように、本実施形態では、画像形成装置である、例えば、複写機２０の装置本体２５の上部に、画像読取装置１を設けたものである。装置本体２５は、周知の通り、図示しないが、画像形成手段、定着手段、給紙部および搬送手段などから構成されている。
【００４６】
而して、本発明に従い、ヒンジ取付台５は、図１３に示すように、装置本体２５の上部に取付けられるように、１枚の金属板をプレス加工などの折り曲げ加工により一体的に形成した、断面コ字状の胴部６の下端部より外側に折り曲げて取付部８０が形成されている。この取付部８０には、装置本体のフレーム２６に取付けるためのボルトなどを挿入するための丸孔８２が形成されている。従って、ヒンジ取付台５は、装置本体２５のフレーム２６に簡単に取付けることができる。
【００４７】
この場合、上述の実施形態と同様に、胴部６を形成する両側の側面６１、６２の先端部より外側に折り曲げて取付部８が形成してあるので、装置本体のフレームの側面、あるいは上面に何れにも取付けができ、都合が良い。また、両取付部８、８０を用いて装置本体のフレームに取付ければ、より強固に取付けることができ、都合が良い。
【００４８】
図１３に示すヒンジ取付台５を形成するためのブランクＰは、上述の実施形態と同様、図１４に示すような、１枚の金属板から構成することができる。即ち、側面６１、６２を形成する側面部材６１Ｐ、６２Ｐのヒンジ載置面部材７Ｐと反対側に、折り目Ａ１０、Ｂ１０を介して、それぞれ取付部８０を形成する取付部部材８０Ｐを連接し、この取付部部材８０Ｐを折り曲げ加工の際、外側に略直角に折り曲げれば良い。
【００４９】
以上の構成による本実施形態によれば、上述した実施形態と同様の作用を奏し、取付け構造の異なるヒンジ機構３を有する原稿押え装置４を共通のヒンジ取付台５に取付けることが可能となり、オプション装置の選択範囲が拡がる他、ヒンジ取付台５の標準化が図れる。
【００５０】
また、単なる１枚の金属板により、取付け構造の異なるヒンジ機構３を取付けるヒンジ取付台５を形成しているので、折り目を基準に折り曲げ加工により、極めて簡単にヒンジ取付台５を製作することができる。
【００５１】
なお、上述した各実施形態は、本発明の好適な実施形態であるが、本発明はこれに限定されるものではなく、本発明の要旨を逸脱しない範囲において、種々変形実施可能である。
【００５２】
上述した第１実施形態では、固定部１０としてネジ孔１０１を設けたが、これに換えて貫通孔を設け、平面取付式のヒンジ機構３ｂを、ボルト、ナット、平ワッシャおよびスプリングワッシャなどの締結具により固定するようにしても良いのは、勿論である。
【００５３】
また、上述した第２実施形態では、ヒンジ取付台５を装置本体に取付けるための取付部８、８０の内、胴部６の側面側の取付部８を省略し、装置本体の上面側にのみ取付けるヒンジ取付台５としても良いのは、勿論である。
【産業上の利用可能性】
【００５４】
本発明の活用例としては、原稿押え装置を支持するヒンジ機構を、装置本体に取付けるヒンジ取付台を備えた画像読取装置が挙げられる。
【図面の簡単な説明】
【００５５】
【図１】本発明の一実施形態に係る画像読取装置の全体構成を示す概略斜視図である。
【図２】図１に示す画像読取装置の側面図である。
【図３】脚部差込式のヒンジ機構３の一例を示す斜視図である。
【図４】平面取付式のヒンジ機構３の一例を示す斜視図である。
【図５】本発明の一実施形態に係るヒンジ取付台５の斜視図である。
【図６】図５に示すヒンジ取付台５を底面から見た斜視図である。
【図７】図５に示すヒンジ取付台５に図３に示す脚部差込式のヒンジ機構３を取付けた状態を示す斜視図である。
【図８】図７を底面から見た斜視図である。
【図９】図５に示すヒンジ取付台５に図４に示す平面取付式のヒンジ機構３を取付けた状態を示す側面図である。
【図１０】図９を右斜め上から見た斜視図である。
【図１１】図５に示すヒンジ取付台５に用いるブランクの展開図である。
【図１２】本実施形態に係る画像読取装置を備えた画像形成装置の全体構成を示す概略斜視図である。
【図１３】本発明の他の実施形態に係るヒンジ取付台５の斜視図である。
【図１４】図１３に示すヒンジ取付台５に用いるブランクの展開図である。
【符号の説明】
【００５６】
１…画像読取装置、２…画像読取手段、３、３ａ、３ｂ…ヒンジ機構、４…原稿押え装置、５…ヒンジ取付台、６…胴部、７…ヒンジ載置面、８、８０…取付部、９…脚部保持領域、１０…固定部、１１、２６…フレーム、２１…原稿載置面、２５…装置本体、３１…脚部、６１、６２…側面、６３、６４…背面、７１…脚部挿入口、６１１、６２１、６３１、６３２、７１１…保持片、６３２…切り欠き
【図１】
2006126356.tif 000003
【図２】
2006126356.tif 000004
【図３】
2006126356.tif 000005
【図４】
2006126356.tif 000006
【図５】
2006126356.tif 000007
【図６】
2006126356.tif 000008
【図７】
2006126356.tif 000009
【図８】
2006126356.tif 000010
【図９】
2006126356.tif 000011
【図１０】
2006126356.tif 000012
【図１１】
2006126356.tif 000013
【図１２】
2006126356.tif 000014
【図１３】
2006126356.tif 000015
【図１４】
2006126356.tif 000016